(57)【要約】  【課題】  路面下などの地下に埋設される水路のような上方にあまりスペースがとれない水路に対しても支障なく設置することのできる水路用ゲート装置を提供する。  【解決手段】  ゲート扉２の摺動を案内する一対のガイドレール３をそれぞれ水路内壁面Ｂ´の上下端位置に水平かつ並行に対向させて路面下に配設し、各ガイドレール３にゲート扉２の上下端縁を支持させてゲート扉２を水平方向へ摺動自在とする。また、ゲート扉２にはガイドレール３に沿ってゲート扉２を摺動させるゲート扉摺動手段５を備える。このように、ゲート扉２を水平方向へ摺動させるようにしたので、水路Ｂ上方にあまりスペースがとれないような場所でも支障なく水路用ゲート装置１を設置することができる。【選択図】  図１
2006028958.tif 000002
【特許請求の範囲】
【請求項１】
路面下などの地下に埋設される水路を摺動自在なゲート扉にて開閉する水路用ゲート装置であって、前記ゲート扉の摺動をガイドする一対のガイドレールをそれぞれ水路内壁面の上下端位置に水平かつ並行に対向させながら路面下に配設し、各ガイドレールにゲート扉の上下端縁を支持させてゲート扉を水平方向へ摺動自在とすると共に、ガイドレールに沿ってゲート扉を摺動動作させるゲート扉摺動手段を備えたことを特徴とする水路用ゲート装置。
【請求項２】
前記ゲート扉摺動手段は、地上部より路面下に挿入する操作棒を有する操作ハンドルと、前記操作棒の先端が装着されるベベルギヤと、該ベベルギヤを介して回動する水平配置したスピンドルと、該スピンドルの回動によって前後に摺動するゲート扉とを備えたことを特徴とする請求項１記載の水路用ゲート装置。
【発明の詳細な説明】
【技術分野】
【０００１】
本発明は、水路を摺動自在なゲート扉にて開閉して取水や防水などを行う水路用ゲート装置に関し、特に路面下などの地下に埋設される水路を開閉するための水路用ゲート装置に関する。
【背景技術】
【０００２】
従来より、路面下などの地下に埋設される水路には、取水、或いは防水などを目的として様々なゲート装置を設置しており、これらゲート装置の一つとして、例えば、特許文献１（実開平６−２４０１６号）や特許文献２（特開２００２−４２５３号）に示すような、昇降自在に配したゲート扉にて適宜水路を開閉するようにした装置がある。このゲート装置は、ゲート扉の摺動をガイドする一対のガイドレールをそれぞれ水路内の両側内壁面に沿って平行に対向させて立設し、各ガイドレールにゲート扉の両側端縁を支持させてゲート扉を昇降自在とすると共に、各ガイドレール間の上位には駆動装置を配設し、該駆動装置と前記ゲート扉とをスピンドルやラックなどで連結して、駆動装置の駆動によってゲート扉をガイドレールに沿って昇降動作させて水路を開閉するようにしたものである。
【特許文献１】実開平６−２４０１６号公報
【特許文献２】特開２００２−４２５３号公報
【発明の開示】
【発明が解決しようとする課題】
【０００３】
しかしながら、上記のごとき従来のゲート装置では、水路を開放する時にゲート扉を上方向へ摺動させる構造としており、水路上端部と路面との間にゲート扉が退避するための一定の高さスペースを要するため、設置場所がある程度制約されてしまい、特に路面下などに埋設されるような水路においては水路上方にスペースを確保することが難しく設置できないケースがある。
【０００４】
本発明は上記の点に鑑み、路面下などの地下に埋設される水路のような上方にあまりスペースがとれない水路に対しても支障なく設置することのできる水路用ゲート装置を提供することを課題とする。
【課題を解決するための手段】
【０００５】
上記の課題を解決するために、本発明の水路用ゲート装置にあっては、路面下などの地下に埋設される水路を摺動自在なゲート扉にて開閉する水路用ゲート装置であって、前記ゲート扉の摺動をガイドする一対のガイドレールをそれぞれ水路内壁面の上下端位置に水平かつ並行に対向させながら路面下に配設し、各ガイドレールにゲート扉の上下端縁を支持させてゲート扉を水平方向へ摺動自在とすると共に、ガイドレールに沿ってゲート扉を摺動動作させるゲート扉摺動手段を備えたことを特徴としている。
【０００６】
また、前記ゲート扉摺動手段は、地上部より路面下に挿入する操作棒を有する操作ハンドルと、前記操作棒の先端が装着されるベベルギヤと、該ベベルギヤを介して回動する水平配置したスピンドルと、該スピンドルの回動によって前後に摺動するゲート扉とを備えたことを特徴としている。
【発明の効果】
【０００７】
本発明に係る水路用ゲート装置によれば、前記ゲート扉の摺動をガイドする一対のガイドレールをそれぞれ水路内壁面の上下端位置に水平かつ並行に対向させながら路面下に配設し、各ガイドレールにゲート扉の上下端縁を支持させてゲート扉を水平方向へ摺動自在とすると共に、ガイドレールに沿ってゲート扉を摺動動作させるゲート扉摺動手段を備えたので、ゲート扉を退避させるためのスペースを水路の側方に配置でき、水路上方にあまりスペースが無いような場所でも支障なくゲート装置を設置することができる。
【０００８】
また、前記ゲート扉摺動手段は、地上部より路面下に挿入する操作棒を有する操作ハンドルと、前記操作棒の先端が装着されるベベルギヤと、該ベベルギヤを介して回動する水平配置したスピンドルと、該スピンドルの回動によって前後に摺動するゲート扉とを備えたので、操作ハンドルによって地上からゲート扉を手動にて楽に開閉でき、また操作ハンドルを着脱式として不要時には外しておけば地上面には何もない状態となって好都合である。
【発明を実施するための最良の形態】
【０００９】
本発明に係る水路用ゲート装置によれば、路面下などの地下に埋設される水路に対し、一対のガイドレールをそれぞれ水路内壁面の上下端位置に水平かつ並行に対向させて路面下に配設し、これら各ガイドレールにゲート扉の上下端縁を支持させてゲート扉を水平方向へ摺動自在とする。また、水路側方にはガイドレールと並行にスピンドルを配設し、該スピンドルにゲート扉を螺着する一方、スピンドルをベベルギヤを介して操作ハンドルと連結してゲート扉摺動手段を構成する。そして、水路を開閉するときには、前記操作ハンドルを回動操作してベベルギヤを介してスピンドルを回動させると、それに応じてゲート扉が水平方向へ摺動していって水路が開閉される。
【００１０】
このように、上記の水路用ゲート装置では、ゲート扉の摺動方向を水路に対して水平方向としているため、路面下などの地下に埋設される水路のように水路上方にあまりスペースがとれないような場所においても支障なくゲート装置を設置することができる。
【実施例】
【００１１】
以下、本発明の実施例を図面に基づいて説明する。
【００１２】
１は路面Ａの地下に埋設している水路Ｂを適宜開閉して取水や防水などを行う水路用ゲート装置であって、水路Ｂを開閉する略方形のステンレス製のゲート扉２を備えると共に、該ゲート扉２の摺動をガイドする一対のステンレス製のガイドレール３をそれぞれ水路内壁面Ｂ´の上下端位置に水平かつ並行に対向させて配設している。前記ガイドレール３は、図２に示すように、断面略凹字形状のレール溝４を形成しており、このレール溝４内へゲート扉２の上下端縁をそれぞれ嵌め込んで支持させ、ゲート扉２をガイドレール３に沿わせて水平方向へ摺動自在としている。
【００１３】
５は前記ガイドレール３に沿ってゲート扉２を摺動させるゲート扉摺動手段であって、水路Ｂ側方にはガイドレール３と並行にスピンドル６を配設している一方、ゲート扉２にはナット７を固着しており、該ナット７と前記スピンドル６とを螺着して、スピンドル６の回動に応じてゲート扉２が図中の矢印方向へ水平に摺動する構成としている。このとき、ゲート扉２を図１中の実線の箇所に位置させると水路Ｂは閉鎖される一方、二点鎖線の箇所に位置させると水路Ｂは開放される。
【００１４】
８はスピンドル６案内用のガイド管であって、ゲート扉２を水路Ｂ開放側にスライドさせたときにスピンドル６をガイド管８内に案内させるようにしている。また、スピンドル６の一端部にはベベルギヤ９を備え、その周囲を防塵カバー１０にて保護していると共に、スピンドル６も伸縮自在な蛇腹１１にて被覆して防塵対策を図っている。
【００１５】
１２は前記スピンドル６を回動操作するための着脱式の操作ハンドルであって、該操作ハンドル１２の操作棒１２´を路面Ａに穿設した透孔Ｃから挿入してベベルギヤ９に着脱可能としている。そして、操作ハンドル１２をベベルギヤ９に取り付けた状態で操作ハンドル１２を回動操作することにより、ベベルギヤ９を介してスピンドル６を回動させ、それに応じてゲート扉２をガイドレール３に沿って水平方向へ摺動させる構成としている。
【００１６】
また、ゲート扉２の周囲には水密ゴム１３を貼着しており、ゲート扉２とガイドレール３間の水密を図っている。また、１４は下位側のガイドレール３のレール溝４内に塵芥や残渣などが侵入しないようにするための防塵カバーであって、該防塵カバー１４の基端縁をゲート扉２の下端縁に沿わせて貼着する一方、防塵カバー１４の遊端縁はガイドレール３表面に摺動可能に当接させ、図２に示すように、ガイドレール３のレール溝４の開口部をカバーするようにしている。
【００１７】
しかして、上記水路用ゲート装置１を操作して水路Ｂを開閉するときには、先ず着脱式の操作ハンドル１２の操作棒１２´を路面Ａの透孔Ｃから挿入してベベルギヤ９に装着した後、操作ハンドル１２を開放・閉鎖方向の何れか所望の方向に回動操作する。すると、ベベルギヤ９を介してスピンドル６が回動し、そのスピンドル６の回動方向に応じてゲート扉２がガイドレール３に沿って前後へ摺動して水路Ｂを開放、或いは閉鎖させる。
【００１８】
このように、本発明の水路用ゲート装置１では、ゲート扉２を水平方向に摺動させる構成として路面下に配設しているため、水路Ｂ上方にはゲート扉２退避用のスペースを必要とせず、水路Ｂ上方にあまりスペースがとれないような場所においても何ら支障なくゲート装置を設置することができる。
【００１９】
なお、本実施例においては、ゲート扉摺動手段の主要な機構としてスピンドルを採用しているが、何らこれに限定するものではなく、例えばラックピニオンやシリンダなどを採用することもできる。また、本実施例においては、ゲート扉摺動手段を手動で駆動するようにしているが、駆動モータなどを利用するようにしたものでも良い。
【図面の簡単な説明】
【００２０】
【図１】本発明に係る水路用ゲート装置の一実施例を示す一部切り欠き正面図である。
【図２】図１のＸ−Ｘ断面図である。
【符号の説明】
【００２１】
１…水路用ゲート装置                ２…ゲート扉
３…ガイドレール                    ５…ゲート扉摺動手段
６…スピンドル                      ７…ナット
９…ベベルギヤ                      １２…操作ハンドル
１２´…操作棒
Ａ…路面                            Ｂ…水路
Ｂ´…水路内壁面
【図１】
2006028958.tif 000003
【図２】
2006028958.tif 000004